(57)【特許請求の範囲】
【請求項１】
取出し口を有する上面板と、底板と、一対の側板の４面からなる角筒状本体における、前記一対の側板両端縁に一対の左右内フラップを連接し、前記上面板と底板の両端縁に一対の上下外フラップを連接して、ティシュペーパーを挿入後、前記左右内フラップを内側に折り込み、次に前記下外フラップ、上外フラップの順で折り込み、左右内フラップと上外フラップを、および上下の外フラップの先端部同士をそれぞれ接着剤で接合して前記角筒状本体の開口部を閉鎖するティシュペーパー収納箱において、
前記上外フラップの先端部に重なる前記下外フラップの先端部両側に、前記下外フラップの側端部の端縁まで切り欠かれた切欠き段部が設けられることにより、該先端部中央部に突出部が形成され、かつ該突出部の横幅は、前記左右内フラップ先端縁同士の間にできる間隔よりも大きく形成され、
前記上外フラップには、その先端部に、前記上外フラップの基端縁と平行な切離し用ミシン線が設けられると共に、前記上外フラップの基端側に突出する円弧状ミシン線が前記切離し用ミシン線の中央付近において接続し一体となって設けられ、
前記切り離し用ミシン線は、前記下外フラップには設けられておらず、前記上外フラップにのみ設けられており、
前記上外フラップの先端部内面には、先端部の端縁と切離し用ミシン線との間に位置して一直線状に塗布される接着剤のみを介して、前記上外フラップが、前記下外フラップの前記突出部の位置において下外フラップに接合されると共に、前記左右内フラップにも接合され、
解体時に、上外フラップから、切離し用ミシン線と円弧状ミシン線で区画された上外フラップの先端部分が切り離されることを特徴とするティシュペーパー収納箱。
【発明の詳細な説明】
【技術分野】
【０００１】
本発明は収納したティシュペーパー使用後の収納箱の解体を容易に行うことができるティシュペーパー収納箱に関する。
【背景技術】
【０００２】
フェイシャルティシュ、トイレットペーパー、ペーパータオル等のティシュペーパーに用いられている直方体または立方体の紙製の収納箱は、使用後そのままでは嵩張るため、解体され扁平に潰された形で廃棄されることが望ましい。
解体を容易に行えるようにしたティシュペーパー収納箱として、取出し口を有する上面板と、底板と、一対の側板との４面からなる角筒状本体における、前記一対の側板の両端縁に一対の内フラップを連接し、前記上面板と底板の両端縁に一対の外フラップを連接して、折り曲げた前記内フラップの外面に前記一対の上下の外フラップを重ね合わせて直方体形状に組み立てられるティシュペーパー収納箱であって、前記一対の上下の外フラップ先端部は組み立て状態で互いに重なり合い、下部外フラップの先端部両側に下部外フラップの基端縁に平行な直線部を含む切欠き段部が設けられることにより、該先端部中央部に突出部が形成され、かつ該突出部の横幅は、前記一対の内フラップ先端縁同士の間にできる間隔よりも大きく形成され、前記角筒状本体の左右妻面の中央付近の高さ位置において、前記突出部を有する下部外フラップ先端部の外面に上部外フラップ先端部が重なり合い、また下部外フラップの先端部中央部の前記突出部の基端部に、下部外フラップの基端縁に平行な切離し用ミシン線が配置されると共に、下部外フラップの基端側に突出する円弧状の切離し用ミシン線が前記切離し用ミシン線の中央付近において互いに交差するように配設され、さらに、前記上部外フラップの内面に一直線状に塗布された接着剤を介して、前記上部外フラップが、前記下部外フラップの先端縁と前記突出部の基端部に配置された切離し用ミシン線との間の位置において下部外フラップに接合されると共に、前記一対の内フラップにも接合され、解体時に、下部外フラップから、突出部と円弧状切り離し用ミシン目に囲まれた部分が切り離されるようになっているティシュペーパー収納箱がある（例えば、特許文献１参照。）。
【先行技術文献】
【特許文献】
【０００３】
【特許文献１】特開２００２−２９５８０号公報
【発明の概要】
【発明が解決しようとする課題】
【０００４】
しかし、特許文献１に記載されたティシュペーパー収納箱は、切離し用ミシン線が、下部外フラップの先端部中央部に形成された突出部の基端部に配置されているので、切離し用ミシン線の端部は突出部の基端部、即ち切欠き段部の直線部と突出部の側縁の交点に現れることになり、カートンブランクやカートンの状態での取扱中、突出部に強い衝撃が加わった場合切断するおそれがあり、特に、カートンを構成する板紙が低坪量の場合には切断するおそれが一層大きくなるといった問題があった。
【０００５】
また、切離し用ミシン線は、下部外フラップの先端部中央部に形成された突出部の基端部に配置され、接着剤は、上部外フラップの内面に、上部外フラップが、下部外フラップの先端縁と突出部の基端部に配置された切離し用ミシン線との間の位置において下部外フラップに接合されるように一直線状に塗布されているので、カートン成形時に、上外フラップと下外との正確な位置合わせが必要となり、位置がずれると接着剤が切離し用ミシン線に跨がり、接着剤が跨がった部分のミシン目が潰れて切離し用ミシン線の切断の障害となり、収納箱の解体が困難になるといった問題があった。
【０００６】
本発明の目的は、収納箱の解体を容易に行うことができると共に、カートンブランクやカートンの状態での取扱中に衝撃が加わっても切離し用ミシン線が容易に切断しないようにしたティシュペーパー収納箱を提供することにある。
【課題を解決するための手段】
【０００７】
上記の目的を達成するために、請求項１に記載の発明は、取出し口を有する上面板と、底板と、一対の側板の４面からなる角筒状本体における、前記一対の側板両端縁に一対の左右内フラップを連接し、前記上面板と底板の両端縁に一対の上下外フラップを連接して、ティシュペーパーを挿入後、前記左右内フラップを内側に折り込み、次に前記下外フラップ、上外フラップの順で折り込み、左右内フラップと上外フラップを、および上下の外フラップの先端部同士をそれぞれ接着剤で接合して前記角筒状本体の開口部を閉鎖するティシュペーパー収納箱において、前記上外フラップの先端部に重なる前記下外フラップの先端部両側に、前記下外フラップの側端部の端縁まで切り欠かれた切欠き段部が設けられることにより、該先端部中央部に突出部が形成され、かつ該突出部の横幅は、前記左右内フラップ先端縁同士の間にできる間隔よりも大きく形成され、前記上外フラップには、その先端部に、前記上外フラップの基端縁と平行な切離し用ミシン線が設けられると共に、前記上外フラップの基端側に突出する円弧状ミシン線が前記切離し用ミシン線の中央付近において接続し一体となって設けられ、前記切り離し用ミシン線は、前記下外フラップには設けられておらず、前記上外フラップにのみ設けられており、前記上外フラップの先端部内面には、先端部の端縁と切離し用ミシン線との間に位置して一直線状に塗布される接着剤のみを介して、前記上外フラップが、前記下外フラップの前記突出部の位置において下外フラップに接合されると共に、前記左右内フラップにも接合され、解体時に、上外フラップから、切離し用ミシン線と円弧状ミシン線で区画された上外フラップの先端部分が切り離されることを特徴としている。
【発明の効果】
【０００８】
請求項１に記載のティシュペーパー収納箱によれば、上外フラップの先端部に設けられている切離し用ミシン線は、上外フラップの基端縁と平行となっているので、切離し用ミシン線の端部は上外フラップの直線状の側縁に現れることから、カートンブランクやカートンの状態での取扱中に衝撃が加わっても切離し用ミシン線の端部が切断するおそれは殆どなく、カートンを構成する板紙が低坪量の場合であっても切離し用ミシン線が容易に切断しないティシュペーパー収納箱を得ることができる。
また、角筒状本体の開口部の閉鎖時に左右内フラップと上外フラップを、および上下の外フラップの先端部同士をそれぞれ接合する接着剤は、上外フラップの内面に、上外フラップの端縁と切離し用ミシン線との間に位置して一直線状に塗布されるので、接着剤と切離し用ミシン線とが干渉することがなく、解体時における切離し用ミシン線の切断の障害になるおそれは全くなく、収納箱の解体を容易に行うことができる。
【図面の簡単な説明】
【０００９】
【図１】本発明に係るティシュペーパー収納箱の実施の形態の一例を示す斜視図である。
【図２】本例のティシュペーパー収納箱の展開図である。
【図３】本例のティシュペーパー収納箱のティシュペーパーを挿入する開口部の一方の側面を組み立てる工程を示す説明図である。
【図４】本例のティシュペーパー収納箱のティシュペーパーを挿入する開口部の一方の側面を組み立てる工程を示す説明図である。
【図５】本例のティシュペーパー収納箱のティシュペーパーを挿入する開口部の一方の側面を組み立てる工程を示す説明図である。
【図６】本例のティシュペーパー収納箱のティシュペーパーを挿入する開口部の一方の側面を組み立てる工程を示す説明図である。
【図７】本例のティシュペーパー収納箱の側面を解体した状態を示す説明図である。
【発明を実施するための形態】
【００１０】
以下、本発明に係るティシュペーパー収納箱の実施の形態の一例を、図面を参照して詳細に説明する。
図１乃至図７は本発明に係るティシュペーパー収納箱の実施の形態の一例を示すものであって、図１は本例のティシュペーパー収納箱を示す斜視図、図２は本例のティシュペーパー収納箱の展開図、図３乃至図６は本例のティシュペーパー収納箱のティシュペーパーを挿入する開口部の一方の側面を組み立てる工程を示す説明図、図７は本例のティシュペーパー収納箱の側面を解体した状態を示す説明図である。
【００１１】
本例のティシュペーパーを収納する収納箱１は、板紙などの紙を主体とした材料で形成される１枚のカートンブランクから直方体形状に形成されるものであって、取出し口２を有する上面板３と、底板４と、一対の側板５，６の４枚のパネルからなり、４枚のパネルはパネルの端に設けられた接合片７により接合されて、上面板３と、底板４と、一対の側板５，６の４面からなる角筒状本体８が形成され、角筒状本体８の両側の開口部９を形成している、一対の側板５，６の両端縁には一対の左右内フラップ１０，１１が折り曲げ自在に連接され、そして、上面板３と底板４の両端縁には一対の上下外フラップ１２，１３が折り曲げ自在に連接されている。
【００１２】
左右内フラップ１０，１１と上下外フラップ１２，１３にあっては、角筒状本体８の開口部９から角筒状本体８内にティシュペーパーを挿入後、左右内フラップ１０，１１が内側に折り込まれ、次に下外フラップ１３、上外フラップ１２の順で折り込まれ、左右内フラップ１０，１１と上外フラップ１２が、および上下の外フラップ１２，１３の先端部同士がそれぞれ接着剤１４で接合され角筒状本体８の開口部９を閉鎖するようになっている。
【００１３】
下外フラップ１３には、上外フラップ１２の先端部に重なる下外フラップ１３の先端部両側に切欠き段部１５が設けられることにより、その先端部中央部に突出部１６が形成されている。この突出部１６の横幅Ｌ１は、内側に折り込まれた左右内フラップ１０，１１の先端縁同士の間にできる間隔Ｌ２よりも大きく形成されている（図４参照。）。本例では、下外フラップ１３の先端部両側に設けられる切欠き段部１５は、下外フラップ１３の基端縁と平行な直線部を含んでいる。
【００１４】
また、上外フラップ１２には、その先端部に、上外フラップ１２の基端縁と平行な切離し用ミシン線１７が設けられ、さらに、上外フラップ１２の基端側に突出する円弧状ミシン線１８が切離し用ミシン線１７の中央付近において接続し一体となって設けられている。
上外フラップ１２の先端部に設けられた切離し用ミシン線１７は、下外フラップ１３の上に上外フラップ１２を折り込んで、上下の外フラップ１２，１３の先端部同士を重ねたとき、下外フラップ１３の先端部中央に形成されている突出部１６に重ならない位置に設けられているが、好ましくは切離し用ミシン線１７は、突出部１６の先端縁或いは先端縁の近傍に形成されていると良い。円弧状ミシン線１８にあっては、親指大の径であることが好ましい。
【００１５】
また、角筒状本体８の開口部９の閉鎖時に左右内フラップ１０，１１と上外フラップ１２を、および上下の外フラップ１２，１３の先端部同士をそれぞれ接合する接着剤１４は、上外フラップ１２の内面に、上外フラップ１２の先端部の端縁と切離し用ミシン線１７との間に位置して一直線状に塗布され（図５参照。）、上外フラップ１２が、下外フラップ１３の突出部１６の位置において下外フラップ１３に接合されると共に、下外フラップ１３における突出部１６の両側の切欠き段部１５から露出する左右内フラップ１０，１１の面にも接合されるようになっている（図６参照）。
【００１６】
このように構成された本発明に係るティシュペーパー収納箱では、角筒状本体８の開口部９の閉鎖は次のようにして行われる。
角筒状本体８の開口部９から角筒状本体８内にティシュペーパーを挿入後、先ず、左右内フラップ１０，１１を内側に折り込み（図３参照）、次に下外フラップ１３、上外フラップ１２の順で折り込む（図４，図５，図６参照。）。このとき、上外フラップ１２の先端部内面に、接着剤１４を上外フラップ１２の先端部の端縁と切離し用ミシン線１７との間に位置して一直線状に塗布し（図５参照）、上外フラップ１２を折り込むことにより、上外フラップ１２の先端部を下外フラップ１３の突出部１６に接合すると共に、下外フラップ１３における突出部１６の両側の切欠き段部１５から露出する左右内フラップ１０，１１の面に接合する（図６参照。）。
【００１７】
また、ティシュペーパーが無くなった収納箱１は、次のように解体して扁平に潰された形で廃棄される。
先ず、上外フラップ１２に設けられている円弧状ミシン線１８に爪を立てるなどをして、円弧状ミシン線１８を切断することにより開口し、その開口に指を差し込み下外フラップ１３を外側へ引っ張ると、上外フラップ１２の先端部に設けられている切離し用ミシン線１７が切断し、切り離された上外フラップ１２の先端部が下外フラップ１３の先端部中央に形成されている突出部１６に接着したままの状態で、上下の外フラップ１２，１３が開く（図７参照。）。
【００１８】
このとき、上外フラップ１２の内面に塗布された接着剤１４は、上外フラップ１２の先端部の端縁と切離し用ミシン線１７との間に塗布されるので、接着剤１４が切離し用ミシン線１７に跨がり、接着剤１４が跨がった部分のミシン目が潰れて切離し用ミシン線１７の切断の障害となるおそれはない。
【００１９】
また、上外フラップ１２の先端部に設けられた切離し用ミシン線１７が、下外フラップ１３の上に上外フラップ１２を折り込んで、上下の外フラップ１２，１３の先端部同士を重ねたとき、下外フラップ１３の先端部中央に形成されている突出部１６の先端縁或いは先端縁の近傍に形成されていると、上外フラップ１２に設けられている円弧状ミシン線１８を切断することにより開口したその開口に指を差し込み下外フラップ１３を外側へ引っ張ったとき、下外フラップ１３の先端部中央に形成されている突出部１６が補強材となると共にその先端縁がエッジとなって上外フラップ１２の先端部に設けられた切離し用ミシン線１７の切断をアシストし、切離し用ミシン線１７の切断を容易に行えるものとなる。
【００２０】
また、上外フラップ１２の先端部と左右内フラップ１０，１１との接合は、下外フラップ１３における突出部１６の両側の切欠き段部１５から露出する局部的な面の接合なので、切り離した上外フラップ１２を開くことにより容易に剥離する。
このように、収納箱１は容易に解体して扁平に潰すことができる。
【００２１】
以上のように、本発明に係るティシュペーパー収納箱によれば、上外フラップ１２の先端部に設けられている切離し用ミシン線１７は、上外フラップ１２の基端縁と平行となっているので、切離し用ミシン線１７の端部は上外フラップ１２の直線状の側縁に現れることから、カートンブランクやカートンの状態での取扱中に衝撃が加わっても切離し用ミシン線１７の端部が切断するおそれは殆どなく、カートンを構成する板紙が低坪量の場合であっても取り扱い中に切離し用ミシン線１７が容易に切断しないティシュペーパー収納箱を得ることができる。
【００２２】
また、角筒状本体８の開口部９の閉鎖時に左右内フラップ１０，１１と上外フラップ１２を、および上下の外フラップ１２，１３の先端部同士をそれぞれ接合する接着剤１４は、上外フラップ１２の内面に、上外フラップ１２の先端部の端縁と切離し用ミシン線１７との間に位置して一直線状に塗布されるので、接着剤１４と切離し用ミシン線１７とが干渉することがなく、解体時における切離し用ミシン線１７の切断の障害になるおそれは全くなく、収納箱１の解体を容易に行うことができる。
【符号の説明】
【００２３】
１  収納箱
２  取出し口
３  上面板
４  底板
５，６  側板
７  接合片
８  角筒状本体
９  開口部
１０，１１  内フラップ
１２  上外フラップ
１３  下外フラップ
１４  接着剤
１５  切欠き段部
１６  突出部
１７  切離し用ミシン線
１８  円弧状ミシン線
【図１】
0006382643.tif 000002
【図２】
0006382643.tif 000003
【図３】
0006382643.tif 000004
【図４】
0006382643.tif 000005
【図５】
0006382643.tif 000006
【図６】
0006382643.tif 000007
【図７】
0006382643.tif 000008